(57)【要約】【課題】多数の器具を用意することなく、検体のサンプリングを容易に行うことができるサンプリングバッグを提供する【解決手段】サンプリングバッグ１１は、一側に開閉可能に密封手段１３を備えた開口部１２ａを有する袋体１２と、開口部に対向する袋体の底部１２ｂから袋体の内部に向かって折り返され、袋体の底部側に手指挿入口１４ａが開口した手袋部１４とを備え、袋体及び手袋部は、透明又は半透明の可撓性を有する材料により形成され、手袋部は、手指挿入口から手袋部内に手指を挿入した状態で、開いた状態の開口部を通して袋体の内外に出没可能に形成されるとともに、手袋部の外面を含む袋体の内部が滅菌処理されている。【選択図】図１
2013068570.tif 000002
【特許請求の範囲】
【請求項１】
一側に開口部を有する袋体と、前記開口部を開閉可能に密封する密封手段と、前記開口部に対向する袋体の底部から前記袋体の内部に向かって折り返され、袋体の底部側に手指挿入口が開口した手袋部とを備え、前記袋体及び前記手袋部は、透明又は半透明の可撓性を有する材料により形成され、前記手袋部は、前記手指挿入口から手袋部内に手指を挿入した状態で、開いた状態の前記開口部を通して袋体の内外に出没可能に形成されるとともに、前記手袋部の外面を含む袋体の内部が滅菌処理されていることを特徴とするサンプリングバッグ。
【請求項２】
前記密封手段は、複数組の雌雄咬合型のチャックを並列に配置して形成されていることを特徴とする請求項１記載のサンプリングバッグ。
【請求項３】
前記袋体の反開口部側に前記手袋部が一体に形成され、前記袋体の開口部側に、別体に形成された前記密封手段が接合されていることを特徴とする請求項１又は２記載のサンプリングバッグ。
【請求項４】
前記袋体の内部に、拭き取り検査用の拭き取り部材が収容されていることを特徴とする請求項１乃至３のいずれか１項記載のサンプリングバッグ。
【請求項５】
前記手袋部は、左右対称に形成されていることを特徴とする請求項１乃至４のいずれか１項記載のサンプリングバッグ。
【発明の詳細な説明】
【技術分野】
【０００１】
本発明は、サンプリングバッグに関し、詳しくは、食品や医薬品、化粧品などの検体を採取して保存するために使用するサンプリングバッグに関する。
【背景技術】
【０００２】
例えば、食品の細菌検査などを行う際には、検体となる食品の一部又は全部を収容袋に封入した状態で保存し、検査機関にて各種検査を行うようにしている。前記収容袋は、該収容袋の内部が滅菌された状態となっており、開口部から袋内に検体を投入して開口部を閉じた後は、外部から袋内に雑菌が侵入しないように形成されている。（例えば、特許文献１参照。）。
【先行技術文献】
【特許文献】
【０００３】
【特許文献１】特開２０１１−１０６８号公報
【発明の概要】
【発明が解決しようとする課題】
【０００４】
しかし、収容袋内に検体を投入する際には、別途に滅菌処理された器具や手袋を使用する必要があることから、検体をサンプリングする際には、収容袋を含めて多数の器具を用意する必要があり、サンプリング作業が繁雑になりやすく、また、サンプリング後の廃棄物の量も多くなっていた。
【０００５】
さらに、例えば食肉の表面を拭き取って食中毒の原因となる菌の定性試験を行うような拭き取り検査の場合、市販の拭き取り検査キットでは、検体面積が広いため拭き取り作業に時間がかかるという問題もあった。
【０００６】
そこで本発明は、多数の器具を用意することなく、検体のサンプリングを容易に行うことができるサンプリングバッグを提供することを目的としている。
【課題を解決するための手段】
【０００７】
上記目的を達成するため、本発明のサンプリングバッグは、一側に開口部を有する袋体と、前記開口部を開閉可能に密封する密封手段と、前記開口部に対向する袋体の底部から前記袋体の内部に向かって折り返され、袋体の底部側に手指挿入口が開口した手袋部とを備え、前記袋体及び前記手袋部は、透明又は半透明の可撓性を有する材料により形成され、前記手袋部は、前記手指挿入口から手袋部内に手指を挿入した状態で、開いた状態の前記開口部を通して袋体の内外に出没可能に形成されるとともに、前記手袋部の外面を含む袋体の内部が滅菌処理されていることを特徴としている。
【０００８】
さらに、本発明のサンプリングバッグは、前記密封手段が複数組の雌雄咬合型のチャックを並列に配置して形成されていること、前記袋体の反開口部側に前記手袋部が一体に形成され、前記袋体の開口部側に、別体に形成された前記密封手段が接合されていること、前記袋体の内部に、拭き取り検査用の拭き取り部材が収容されていること、前記手袋部が左右対称に形成されていることを特徴としている。
【発明の効果】
【０００９】
本発明のサンプリングバッグによれば、袋体底部側に開口した手指挿入口から手袋部の内部に手指を挿入し、密封手段で密封された開口部を開き、開いた状態の開口部から手袋部を袋体の開口部外側に押し出すようにして手袋部で検体を掴み、検体を掴んだ状態で手袋部を袋体の内部に引き戻した後、密封手段によって開口部を密封することにより、密封状態の袋体内に検体を収容することができる。したがって、別の器具を用いることなく、本発明のサンプリングバッグのみで検体のサンプリングを行うことができる。
【００１０】
また、密封手段として複数組の雌雄咬合型のチャックを並列に配置することにより、確実な密封状態が得られるとともに、開口部の開閉操作も容易に行うことができる。さらに、袋体の反開口部側に手袋部を一体に形成し、袋体の開口部側に別に形成した密封手段を接合することにより、サンプリングバッグを容易に製造することができる。また、袋体の内部に拭き取り部材を収容しておくことにより、拭き取り検査用の検体も本発明のサンプリングバッグのみでサンプリングすることが可能である。特に、拭き取り検査を行う際の検体面積が広いような場合でも、手のひら全体を使って素早く容易に拭き取ることができる。さらに、手袋部を左右対称に形成することにより、作業時に手袋部の方向性を気にせずに手指を手袋部に挿入することができ、サンプリング時の作業性を向上できる。
【図面の簡単な説明】
【００１１】
【図１】本発明の第１形態例を示すサンプリングバッグの正面図である。
【図２】手袋部に手指を挿入して開口部を開いた状態を示す説明図である。
【図３】手袋部を袋体の開口部外側に押し出して検体を掴んだ状態を示す説明図である。
【図４】袋体内に検体を収容した状態示す説明図である。
【図５】サンプリングバッグの製造途中の状態を示す説明図である。
【図６】サンプリングバッグの変形例を示す説明図である。
【図７】本発明の第２形態例を示すサンプリングバッグの正面図である。
【図８】拭き取り部材を持った手袋部を袋体の開口部外側に押し出した状態を示す説明図である。
【図９】拭き取り部材で検体の表面を拭き取っている状態を示す説明図である。
【発明を実施するための形態】
【００１２】
図１乃至図５は本発明のサンプリングバッグの第１形態例を示すもので、本形態例に示すサンプリングバッグ１１は、一側に開閉可能な開口部１２ａを有する袋体１２と、前記開口部１２ａを開閉可能に密封する密封手段１３と、前記開口部１２ａに対向する袋体１２の底部１２ｂから前記袋体１２の内部に向かって折り返され、袋体１２の底部１２ｂ側に手指挿入口１４ａが開口した手袋部１４とを備えている。
【００１３】
前記袋体１２及び前記手袋部１４は、透明又は半透明の可撓性を有する材料、例えばガスバリヤー性を有する合成樹脂シートやフィルムを所定の形状に成形することにより形成されたものであって、袋体１２の大きさは、手指１５を挿入した手袋部１４及び採取する検体１６を収納可能な大きさに形成されている。また、前記手袋部１４は、前記手指挿入口１４ａから手袋部１４内に手指１５を挿入した状態で、開いた状態の前記開口部１２ａを通して袋体１２の内外に出没可能に形成されている。
【００１４】
密封手段１３は、十分な気密性を有する２組の雌雄咬合型のチャック１３ａ，１３ａを、袋体１２の開口縁に対して平行な状態で２列に並列に配置したものであって、チャック１３ａ，１３ａを閉じることによって袋体１２内に細菌などが侵入することがないように形成されている。また、袋体１２の表面には、採取した検体に関する情報を記入するためのラベル部１７が設けられている。さらに、前記手袋部１４の外面を含む袋体１２の内部は、紫外線を照射するなどの通常の方法で滅菌処理されている。
【００１５】
このように形成されたサンプリングバッグ１１を使用して検体１６のサンプリングを行う際には、まず、図２に示すように、袋体底部側に開口した手指挿入口１４ａから手袋部１４の内部に手指１５を挿入し、チャック１３ａ，１３ａで密封されている開口部１２ａを開く。次に、図３に示すように、開いた状態の開口部１２ａから手袋部１４を袋体１２の開口部外側に押し出すようにして手袋部１４を袋体１２の外側に出し、手指１５を操作して手袋部１４で検体１６を掴む。そして、図４に示すように、検体１６を掴んだ状態のまま手袋部１４を袋体１２の内部に引き戻した後、チャック１３ａ，１３ａを閉じて開口部１２ａを密封する。これにより、密封状態の袋体１２内に検体１６を収容することができ、このまま検査施設に送付したり、所定の条件下で保存しておくことができる。また、必要に応じてラベル部１７に検体に関する情報を記入する。
【００１６】
また、このサンプリングバッグ１１は、図５に示すように、袋体１２の開口部１２ａの反対側（反開口部側）に手袋部１４を一体に形成した長手袋状成形品１８に、別に形成したチャック１３ａ，１３ａを有するチャック部品１９を開口端部１８ａの部分で接合した後、手袋部１４を袋体１２の内部に折り返すようにして袋体１２の内部に手袋部１４を収納した状態とすることによって容易に製造することができる。
【００１７】
さらに、図６の変形例に示すように、手袋部１４を中指挿入部を中心として親指側と小指側とを同形状にして左右対称に形成することにより、サンプリングバッグ１１の表裏を気にせずに、右手でも左手でも手袋部１４内に挿入することができるので、サンプリング時の作業性を向上させることができる。
【００１８】
図７乃至図９は、本発明の第２形態例を示すもので、前記第１形態例で示したサンプリングバッグ１１における袋体１２の内部に、拭き取り検査用の拭き取り部材２１をあらかじめ収容した状態としている。このように、拭き取り部材２１を収容した状態のサンプリングバッグ１１は、図７に示すように、拭き取り部材２１を掴んだ状態の手袋部１４を、開いた状態の開口部１２ａから袋体１２の外側に出し、図８に示すように、検体２２の表面を拭き取り部材２１で拭き取った後、拭き取り部材２１を掴んだまま手袋部１４を袋体１２の内部に引き戻してチャック１３ａ，１３ａを閉じることにより、検体２２の表面を拭き取った拭き取り部材２１を、密封状態の袋体１２内に収容することができる。
【００１９】
このように、本発明のサンプリングバッグは、他の器具を必要とせずに検体のサンプリングを行うことができ、さらに、拭き取り検査用の拭き取り部材をあらかじめ収容しておくことにより、検体面積が広い拭き取り検査にも容易に対応することができる。
【００２０】
なお、袋体内部の滅菌処理は任意の方法で行うことができ、拭き取り部材も任意の拭き取り部材を使用することができ、特に限定されるものではない、また、密封手段も、十分な気密性を有するものであれば任意の密封手段を採用することができる。
【符号の説明】
【００２１】
１１…サンプリングバッグ、１２…袋体、１２ａ…開口部、１２ｂ…底部、１３…密封手段、１３ａ…チャック、１４…手袋部、１４ａ…手指挿入口、１５…手指、１６…検体、１７…ラベル部、１８…長手袋状成形品、１８ａ…開口端部、１９…チャック部品、２１…拭き取り部材、２２…検体
【図１】
2013068570.tif 000003
【図２】
2013068570.tif 000004
【図３】
2013068570.tif 000005
【図４】
2013068570.tif 000006
【図５】
2013068570.tif 000007
【図６】
2013068570.tif 000008
【図７】
2013068570.tif 000009
【図８】
2013068570.tif 000010
【図９】
2013068570.tif 000011